(57)【要約】【課題】本発明の課題は、危険汚染領域の入退場を管理できるシステムを提供することである。【解決手段】汚染累積量と入場時刻を記録するＩＣカードと、単位汚染量と汚染限界量とを記憶するメモリと、ＩＣカードに入場時刻を記録する入場時刻記録手段と、ＩＣカードから入場時刻を読み取って、現在時刻から減算して滞在時間を算出する滞在時間算出手段と、滞在時間と単位汚染量を積算して、汚染量を算出する汚染量算出手段と、ＩＣカードから汚染累積量を読み取って、前記汚染量を加算して、更新用の汚染累積量を作成して返信する更新用累積量返信手段と、前記更新された汚染累積量と汚染限界量とを比較して、汚染累積量が限界量を超過したか否かを判定する判定手段と、汚染累積量が限界量を超過したら警告情報を発行する警告情報発行手段と、を備える開閉門装置である、ことを特徴とする汚染管理システムである。【選択図】図１
2008209256.tif 000002
【特許請求の範囲】
【請求項１】
ＩＣカードと開閉門装置を用いる汚染管理システムであって、
前記ＩＣカードは、
少なくとも汚染累積量と入場時刻を記録する、
ＩＣカードであって、
前記開閉門装置は、
少なくとも単位汚染量と汚染限界量とを記憶するメモリと、
ＩＣカードに入場時刻を記録する入場時刻記録手段と、
ＩＣカードから入場時刻を読み取って、現在時刻から減算して滞在時間を算出する滞在時間算出手段と、
滞在時間と単位汚染量を積算して、汚染量を算出する汚染量算出手段と、
ＩＣカードから汚染累積量を読み取って、前記汚染量を加算して、更新用の汚染累積量を作成して返信する更新用累積量返信手段と、
前記更新された汚染累積量と汚染限界量とを比較して、汚染累積量が限界量を超過したか否かを判定する判定手段と、
汚染累積量が限界量を超過したら警告情報を発行する警告情報発行手段と、
を備える開閉門装置である、
ことを特徴とする汚染管理システム。
【発明の詳細な説明】
【技術分野】
【０００１】
本発明は、汚染領域（たとえば、放射能物質の汚染施設や有害物質の貯蔵庫）への入場者に対して、危険物質に晒された汚染状態を管理するシステムに関するものである。
【０００２】
従来から、技術者や作業者が放射線物質や有害物質が存在する領域に出入りする時には、放射線被爆の蓄積量や有害物質に暴露された累積時間を管理して、健康被害を未然に防止している。
【背景技術】
【０００３】
たとえば、特許文献１では、放射線を取り扱う施設（たとえば原子炉の解体場所）において、作業者には放射線センサを備える個人線量計を携帯させて、被爆量を計測して、この計測情報を管理装置に伝送して集中管理する技術が開示されている。
【特許文献１】特開２００４−１１７３７２号公報（段落００２７〜段落００３０、図１）
【発明の開示】
【発明が解決しようとする課題】
【０００４】
ところで、特許文献１の技術では、作業者が施設で放射線センサを携帯していないと被爆量を計測できないという問題点があった。
また、許容限度を超えた作業者に退去を促すことはできるか、この作業者が施設に再入場しようとしたときに、入場を阻止できないという欠点があった。
【０００５】
本発明はこのような不具合を解決するためになされたものであって、本発明の課題は、危険汚染領域の入退場を管理できるシステムを提供することである。
【課題を解決するための手段】
【０００６】
本発明は、以下のような解決手段により、前記課題を解決する。すなわち、請求項１の発明は、ＩＣカード（１００）と開閉門装置（３００）を用いる汚染管理システムであって、
前記ＩＣカード（１００）は、少なくとも汚染累積量（１９１）と入場時刻（１９３）を記録する、ＩＣカードであって、前記開閉門装置（３００）は、少なくとも単位汚染量（３９５）と汚染限界量（３９３）とを記憶するメモリと、ＩＣカード（１００）に入場時刻（１９３）を記録する入場時刻記録手段（３１０）と、ＩＣカード（１００）から入場時刻（１９３）を読み取って、現在時刻から減算して滞在時間を算出する滞在時間算出手段（３１０）と、滞在時間と単位汚染量（３９５）を積算して、汚染量を算出する汚染量算出手段（３２０）と、ＩＣカード（１００）から汚染累積量（１９１）を読み取って、前記汚染量を加算して、更新用の汚染累積量（１９１）を作成して返信する更新用累積量返信手段（３３０）と、前記更新された汚染累積量（１９１）と汚染限界量（３９３）とを比較して、汚染累積量が限界量を超過したか否かを判定する判定手段（３４０）と、汚染累積量が限界量を超過したら警告情報を発行する警告情報発行手段（３５０）と、を備える開閉門装置である、ことを特徴とする汚染管理システムである。
【発明の効果】
【０００７】
本願発明によれば、
（１）汚染された領域に入場するときに、汚染センサを携帯することなく、汚染量を計測することが可能である。
（２）許容限度の汚染量を超えた作業者には、汚染領域への再入場を禁止することが可能である。
【発明を実施するための最良の形態】
【０００８】
以下、図面等を参照しながら、本発明の実施の形態について、更に詳しく説明する。
【０００９】
図１は、本発明による汚染管理システム１の概要を説明する図である。本発明による汚染管理システム１は、ＩＣカード１００と、開閉門装置３００から構成されている。汚染管理システム１は、開閉門装置３００の管理する領域（＝管理領域）へのＩＣカード１００の入退場を管理する。
【００１０】
開閉門装置３００は、管理領域５００の入退場を管理する。開閉門装置３００は、コンピュータプログラムによって制御される設備である。開閉門装置３００は、ＩＣカード・リーダライタを備える。
【００１１】
ＩＣカード１００は、接触型、または、非接触型のカード媒体である。ＩＣカード１００は、汚染管理の用いる情報を保持する。
【００１２】
管理領域５００は、たとえば汚染された施設や危険物質貯蔵庫である。図１の管理領域５００は、管理領域Ａ５００ａ（＝微量に汚染された部屋）や管理領域Ｂ５００ｂ（＝中程度に汚染された部屋）や（管理領域Ｃ５００ｃ（＝高度に汚染された部屋）などから構成されている。
【００１３】
開閉門装置Ａ３００ａ（開閉門特定情報＝「ゲートＡ」）は、管理領域Ａ５００ａへのＩＣカード１００の入退場を管理する。同様に、開閉門装置Ｂ３００ｂは、管理領域Ｂ５００ｂへの入退場を管理して、開閉門装置Ｃ３００ｃは、管理領域Ｃ５００ｃへの入退場を管理する。
【００１４】
図２は、ＩＣカードの詳細な構成図である。図２は、ＩＣカード１００の詳細な構成図である。ＩＣカード１００は、ＣＰＵ１０１と、通信部１０２と、メモリ１０９を備える。ＣＰＵ１０１は、専用のマイクロプロセッサである。通信部１０２は、接続端子や、アンテナである。通信部１０２の接続端子は、ＩＣカード・リーダライタの接続端子板と接触接続する。また、通信部１０２のアンテナは、ＩＣカード・リーダライタのアンテナと無線接続する。メモリ１０９は、半導体メモリである。メモリ１０９は、汚染累積量データ１９１と入場時刻データ１９３を記憶する。
【００１５】
ＩＣカード１００は、接触接続、または、無線接続したＩＣカード・リーダライタから、入場時刻データ１９３を受信してメモリ１０９に記録する。ＩＣカード１００は、ＩＣカード・リーダライタに汚染累積量データ１９１と入場時刻データ１９３を送信して、開閉門装置で算出された汚染累積量データ１９１を受信して、汚染累積量データ１９１を更新する。
【００１６】
図３は、汚染累積量データ１９１の形式と例である。汚染累積量データ１９１の項目は、汚染物質識別情報１９１ａと累積値情報１９１ｂから構成されている。汚染物質識別情報１９１ａは、汚染物質の名称情報と単位情報である。累積値情報１９１ｂは、数値情報である。
【００１７】
図３には、汚染累積量データ１９１が例示されている。たとえば、汚染物質識別情報１９１ａは汚染物質の名称情報が「放射線」で、単位情報が「シーベルト」で、累積値情報１９１ｂが「vwxy」である汚染累積量データ１９１が例示されている。
【００１８】
また、汚染物質識別情報１９１ａは汚染物質の名称情報が「ＮＯｘ」で、単位情報が「mg」で、累積値情報１９１ｂが「wxyz」である汚染累積量データ１９１が例示されている。
【００１９】
図４は、本発明による開閉門装置３００の詳細な構成図である。開閉門装置３００は、少なくとも、ＣＰＵ３０１と、ＩＣカード・リーダライタ３０２と、開閉扉部３０３と、メモリ３０９と、専用アプリケーションプログラムを備える。
【００２０】
メモリ３０９は、限界量データ３９３と、単位汚染量データ３９５を記憶する。
【００２１】
ＣＰＵ３０１は、マイクロプロセッサである。ＩＣカード・リーダライタ３０２は、接続端子板、あるいは、アンテナコイルを備える。メモリ３０９は、半導体メモリや磁気メモリである。
【００２２】
専用アプリケーションプログラムは、ＣＰＵ５０１により処理が行われるコンピュータプログラムである。本発明における専用アプリケーションプログラムは、入場時刻記録手段３１０と、汚染量算出手段３２０と、累積量更新手段３３０と、判定手段３４０と、警告情報発行手段３５０と、開閉手段３６０から構成される。
【００２３】
入場時刻記録手段３１０は、ＩＣカード１００に入場時刻１９３を記録する。滞在時間算出手段３１０は、ＩＣカード１００から入場時刻１９３を読み取って、現在時刻から減算して滞在時間を算出する。汚染量算出手段３２０は、滞在時間と単位汚染量３９５を積算して、汚染量を算出する。更新用累積量返信手段３３０は、ＩＣカード１００から汚染累積量１９１を読み取って、前記汚染量を加算して、更新用の汚染累積量１９１を作成して返信する。
【００２４】
判定手段３４０は、前記更新用の汚染累積量１９１と汚染限界量３９３とを比較して、汚染累積量が限界量を超過したか否かを判定する。警告情報発行手段３５０は、汚染累積量が限界量を超過している判定結果であれば、警告情報を発行する。
【００２５】
開閉手段３６０は、汚染累積量が限界量を超過しない判定結果であれば開錠して、汚染累積量が限界量を超過している判定結果であれば施錠する。
【００２６】
図５は、限界量データ３９３の形式と例である。限界量データ３９３の項目は、汚染物質識別情報３９３ａと限界値情報３９３ｂから構成されている。汚染物質識別情報３９３ａは、図３の汚染物質識別情報１９１ａと同じである。限界値情報３９３ｂは、数値情報である。
【００２７】
図５には、限界量データ３９３が例示されている。たとえば、汚染物質識別情報３９３ａが「放射線」で、単位情報が「シーベルト」で、限界値情報１９１ｂが「zyxw」である限界量データ３９３が例示されている。
【００２８】
図６は、単位汚染量データ３９５の形式と例である。
単位汚染量データ３９５の項目は、汚染物質識別情報３９５ａと測定基準値３９５ｂから構成されている。汚染物質識別情報３９５ａは、図３の汚染物質識別情報１９１ａと同じである。基準値３９５ｂは、数値情報である。
【００２９】
図６には、単位汚染量データ３９５が例示されている。たとえば、汚染物質識別情報３９５ａは汚染物質の名称情報が「放射線」で、単位情報が「シーベルト」で、基準値３９５ｂが「wxy」である限界量データ３９３が例示されている。
【００３０】
図７と図８は、開閉門装置３００の処理手順の説明図である。
【００３１】
図７は、作業者がＩＣカード１００を携帯して管理領域Ａに入場するときの処理手順の説明図である。開閉門装置３００ａ「ゲートＡ」に作業者がＩＣカード１００をかざして管理領域Ａに入場するときには、判定手段３４０は、ＩＣカード１００から汚染累積量データ１９１を読み取り、汚染限界量データ３９３を比較して、汚染累積量が限界量を超過したか否かを判定する（図７（１））。
【００３２】
汚染累積量が限界量を超過していなければ作業者の入場を許可して、開閉手段３６０は、開錠する。入場時刻記録手段３１０は、ＩＣカード１００に入場時刻データ１９３「12:10」を送信する。ＩＣカード１００はメモリ１０９に入場時刻データ１９３「12:10」を記録する（同（２））。
【００３３】
汚染累積量が限界量を超過していれば入場を不許可にして、開閉手段３６０は施錠する。警告情報発行手段３５０は、警告情報を発行して作業者に注意を促す（同（３））。
【００３４】
同様に、開閉門装置３００ｂ「ゲートＢ」においてＩＣカード１００が管理領域Ｂに入場するときには、ＩＣカード１００の汚染累積量が限界量を超過していなければ入場を許可して、汚染累積量が限界量を超過していれば入場を不許可にする。開閉門装置３００ｃ「ゲートＣ」においてＩＣカード１００が管理領域Ｃに入場するときには、ＩＣカード１００の汚染累積量が限界量を超過していなければ入場を許可して、汚染累積量が限界量を超過していれば入場を不許可にする。
【００３５】
図８は、退場するときの処理手順の説明図である。
開閉門装置Ｃ３００ｃ「ゲートＣ」において作業者がＩＣカード１００をかざして管理領域Ｃ５００ｃから退場するときには、滞在時間算出手段３１０がＩＣカード１００から入場時刻１９３「12:20」を読み取って、現在時刻「12:40」から減算して滞在時間「20分」を算出する。汚染量算出手段３２０は、滞在時間「20分」と単位汚染量３９５を積算して、今回の汚染量を算出する（図８（１））。
【００３６】
更新用累積量返信手段３３０は、ＩＣカード１００から汚染累積量１９１を読み取って、図８（１）で算出した汚染量を加算して、汚染累積量を算出する。ＩＣカード１００は、開閉門装置Ｃ３００ｃから汚染累積量を受信して、汚染累積量１９１を更新する（同（２））。
【００３７】
汚染累積量と限界量を比較して、汚染累積量が限界値情報を超えていれば、警告情報発行手段３５０は、警告情報を作業者に発行する（同（３））。
【００３８】
ＩＣカード１００の汚染累積量が限界量を超過したか否かにかかわらず、開閉手段３６０は開錠する。そこで、作業者はＩＣカード１００を携帯して管理領域Ｃ５００ｃから退場して、管理領域Ｂ５００ｂに移動する。
【００３９】
ここで、管理領域Ｃ５００ｃから退場するときの現在時刻「12:40」は、管理領域Ｂ５００ｂに入場するときの入場時刻１９３「12:40」となる。
【００４０】
なお、管理領域Ｃ５００ｃから退場した作業者は、管理領域Ｂ５００ｂにはいるが、汚染累積量が限界量を超えているので、同様に、開閉門装置Ｂ３００ｂにカードをかざすと警告情報が発行されて、開錠される。作業者が管理領域Ｂ５００ｂを退場して管理領域Ａ５００ａに移動する。同様に、ＩＣカード１００の汚染累積量が限界量を超えているので、作業者がＩＣカード１００を開閉門装置Ａ３００ａにかざすと警告情報が発行されて、開錠されて、管理領域Ａ５００ａから退場する。
【００４１】
このように、作業者がＩＣカード１００を携帯して管理領域５００から退場するときには、ＩＣカード１００の汚染累積量が限界量を超過した場合に開閉門装置３００が、警告情報を発行することによって作業者に注意を促し、開錠するので、確実に退場させることが可能である。
【００４２】
（実施例１）
次に、管理領域５００の汚染濃度情報を計測して、管理領域５００での汚染量を算出する例を説明する。
【００４３】
図９は、汚染センサ３０４を備える開閉門装置３００の詳細な構成図である。開閉門装置３００は、汚染センサ３０４と、図４に記載のハードウエアを備える。汚染センサ３０４は管理領域５００の汚染量を計測する。
【００４４】
メモリ３０９は、単位汚染量推移データ３９７と限界量データ３９３を記憶する。位汚染量推移データ３９７は、測定時刻情報と測定基準値を対応付けたデータである。限界量データ３９３は、図４の限界量データ３９３と同じである。
【００４５】
専用アプリケーションプログラムは、単位汚染量データ算出手段３７０と、図４に記載の手段から構成される。単位汚染量推移データ作成手段３７０は、汚染センサ３０４が計測する汚染量の値を読み取って、これを測定基準値として、測定基準値に測定時刻を対応付けて単位汚染量推移データを作成する。汚染量算出手段３２０は、単位汚染量推移データ３９７と、入場時刻データ１９３と現在時刻を用いて、該当する時間範囲の測定基準値を積分して汚染量を算出する。
【００４６】
図１０は、単位汚染量推移データ３９７の形式と例である。単位汚染量推移データ３９７の項目は、汚染物質識別情報３９７ａと測定時刻情報３９７ｂと測定基準値３９７ｃから構成されている。測定時刻情報３９７ｂと測定基準値３９７ｃは対応付けられている。測定時刻情報３９７ｂと測定基準値３９７ｃの対は、測定された個数分が存在する。汚染物質識別情報３９７ａは、図６の汚染物質識別情報３９５ａと同じである。測定時刻情報３９７ｂは、日時である。測定基準値３９７ｃは、図６の基準値３９５ｂと同じである。
【００４７】
図１０には、単位汚染量推移データ３９７が例示されている。たとえば、汚染物質識別情報３９７ａが「放射線」で、単位情報が「シーベルト」で、測定時刻情報３９７ｂと測定基準値３９７ｃの対が、「2007/02/01/09:30」と「xyzyzx」の対や、「2007/02/01/10:30」と「vzvyvx」の対などの単位汚染量推移データ３９７が例示されている。
【００４８】
図１１は、汚染量算出の説明図である。図１１の（ａ）は、縦軸が測定基準値で、横軸が時刻の単位汚染量推移データの棒グラフである。図１１の（ｂ）は、入場時刻データ１９３が「9:30」で、退場した時刻が「12:30」であるときの、棒グラフの面積が今回の汚染量に相当することを示している。
【００４９】
次に、変形例を説明する。
（変形例１）
警告情報を、電子メールを用いて予め定めた宛先に送信してもよい。
【００５０】
（変形例２）
管理領域に入場したときに、汚染累積量と単位汚染量を用いて、限界量に達する時間を予測して、滞在可能時間を通知してもよい。
【００５１】
以上詳しく説明したように、本願発明によれば、
（１）汚染された領域に入場するときに、汚染センサを携帯することなく、汚染量を計測することが可能となった。
（２）許容限度の汚染量を超えた作業者には、汚染領域への再入場を禁止することが可能となった。
【図面の簡単な説明】
【００５２】
【図１】本発明による汚染管理システム
【図２】ＩＣカードの詳細な構成図
【図３】汚染累積量データ１９１
【図４】本発明による開閉門装置の詳細な構成図
【図５】限界量データ３９３
【図６】単位汚染量データ３９５
【図７】入場したときの処理手順の説明図
【図８】退場したときの処理手順の説明図
【図９】汚染センサ３０４を備える開閉門装置３００の詳細な構成図
【図１０】単位汚染量推移データ３９７の形式と例
【図１１】汚染量算出の説明図
【符号の説明】
【００５３】
１  汚染管理システム
１００  ＩＣカード
１９１  汚染累積量
１９３  入場時刻
３００  開閉門装置
３１０  滞在時間算出手段
３２０  汚染量算出手段
３３０  更新用累積量返信手段
３４０  判定手段
３５０  警告情報発行手段
３７０  単位汚染量推移データ作成手段
３９３  汚染限界量
３９５  単位汚染量
５００  管理領域
【図１】
2008209256.tif 000003
【図２】
2008209256.tif 000004
【図３】
2008209256.tif 000005
【図４】
2008209256.tif 000006
【図５】
2008209256.tif 000007
【図６】
2008209256.tif 000008
【図７】
2008209256.tif 000009
【図８】
2008209256.tif 000010
【図９】
2008209256.tif 000011
【図１０】
2008209256.tif 000012
【図１１】
2008209256.tif 000013